(57)【要約】【課題】飲料抽出用ロートに対するお湯の滴下位置や滴下時期（タイミング）あるいは滴下量を変化させることにより、風味に富むおいしい飲料を抽出する。【解決手段】本体１０の上壁部１６に設けたお湯注出口２６から流出するお湯を飲料抽出ロートに注ぎ、この飲料抽出ロートで抽出された抽出液を飲料抽出ロートの下方に設けた容器に集める飲料作成器において、飲料抽出ロート３８の上方にあってこの飲料抽出ロート３８に対して固定されお湯注出口２６から出るお湯を一時貯めながら、飲料抽出ロート３８に導くスキャッタ４０を備え、スキャッタ４０の底面４４は深さが異なる領域４６を持ち、これらの各領域４６にそれぞれお湯の滴下孔４８が形成されている。【選択図】図１
2007313004.tif 000002
【特許請求の範囲】
【請求項１】
本体の上壁部に設けたお湯注出口から流出するお湯を飲料抽出ロートに注ぎ、この飲料抽出ロートで抽出された抽出液を飲料抽出ロートの下方に設けた容器に集める飲料作成器において、
前記飲料抽出ロートの上方にあってこの飲料抽出ロートに対して固定され前記お湯注出口から出るお湯を一時貯めながら、前記飲料抽出ロートに導くスキャッタを備え、
前記スキャッタの底面は深さが異なる領域を持ち、これらの各領域にそれぞれお湯の滴下孔が形成されていることを特徴とする飲料作成器。
【請求項２】
お湯注出口はスキャッタの少なくとも最も深い領域にお湯を注ぐ請求項１の飲料作成器。
【請求項３】
スキャッタの最も深い領域に設けた滴下孔から滴下するお湯の単位時間当たりの滴下量が、お湯注出口からスキャッタに入るお湯の単位時間当たりの注入量よりも少ない状態を持つ請求項１の飲料作成器。
【請求項４】
スキャッタの底面には階段状に高さが異なる段部が形成され、各段部に複数の滴下孔が形成されている請求項１または２または３の飲料作成器。
【請求項５】
各段部は環状であって同心に配列されている請求項４の飲料作成器。
【請求項６】
スキャッタの底面は略半球状であり、滴下孔はこの底面を異なる高さで囲む円または底面に巻き付けた螺旋に沿って形成されている請求項１または２または３の飲料作成器。
【請求項７】
スキャッタの底面は円錐面で形成され、滴下孔はこの円錐面を異なる高さで囲む円に沿って形成されている請求項１または２または３の飲料作成器。
【請求項８】
スキャッタの底面は円錐面で形成され、滴下孔はこの円錐面に巻いた螺旋に沿って形成されている請求項１または２または３の飲料作成器。
【請求項９】
スキャッタの底面には深さが連続的に変化する螺旋状段部が形成され、滴下孔は前記螺旋状段部に沿って形成されている請求項１の飲料作成器。
【請求項１０】
スキャッタの底面は中央が最も深い請求項１〜９のいずれかの飲料作成器。
【請求項１１】
スキャッタの底面は周辺が最も深い請求項１〜９のいずれかの飲料作成器。
【請求項１２】
異なる領域の間に底面から立ち上がる壁が形成され、この壁を挟む一方の領域から他方の領域にこの壁を越えてお湯が流れる請求項１の飲料作成器。
【発明の詳細な説明】
【技術分野】
【０００１】
この発明は、コーヒー粉などを入れた飲料抽出用ロートにお湯を注ぎコーヒー液などの抽出液を抽出する飲料作成器に関するものである。
【背景技術】
【０００２】
コーヒー粉を入れたコーヒーロートに高温のお湯を注いでコーヒーを抽出し、滴下したコーヒー液を集めるドリップ式、例えばペーパーフィルタを用いたドリップ式などのいわゆるレギュラーコーヒー用のコーヒーメーカーが公知である。
【０００３】
【特許文献１】実公昭５１−４５４３３
【特許文献２】実公昭５６−２１１４５
【０００４】
特許文献１には抽出ロート（コーヒー粉末容器１１）の上方にスキャッタ（熱湯分散器１５）を設けたものが示されている。ここに抽出ロートとスキャッタとは回転せず、またスキャッタの内側底面には中心部を高く周辺に拡大するに従って低くした段丘を設け、かつ中心部を小さく周辺になるに従って大きくした滴下孔（熱湯落下孔１７）を設けたものである。この結果、熱湯が分散平均してロートに落下するようにしたものである。
【０００５】
すなわち、スキャッタにお湯を注ぐ際にスキャッタの中央付近にお湯が集中して当たることを考慮して、中央付近に注がれるお湯を段丘状の底面によって周辺に導き、この周辺に設ける滴下孔を中央付近の滴下孔より大きくすることにより、お湯を平均に分散させるものである。
【０００６】
特許文献２には、お湯の注ぎ口（２）にお湯を貯める部屋を設け、この部屋の蓋である保温皿（５）に設けた蒸気放散窓（５ａ）からお湯の蒸気を放出させ、この蒸気によって保温皿（５）に置いたコーヒーカップ（６）を温めるようにしたコーヒー沸器が示されている。すなわち保温皿（５）の蒸気放散窓（５ａ）から蒸気を放散させるために、保温皿（５）の下の部屋にお湯を貯めるものである。
【０００７】
この場合には、お湯を貯める部屋からできるだけ多く蒸気を蒸発させるのが望ましい。このためこの特許文献２のものでは、お湯を貯める部屋の下面を滑らかに湾曲する皿状とし、お湯をこの皿状の下面の周辺から下面に沿わせて流し込むことによって、この部屋の下面の広い領域にお湯を接触させているものである。
【発明の開示】
【発明が解決しようとする課題】
【０００８】
特許文献１のものはスキャッタもロートも回転せずに、お湯をロートに平均的に分散させるものである。従ってロートの中央と周辺とに時間差をもって滴下したり滴下位置ごとの滴下量を管理することができず、飲料によってお湯の注ぎ方を適切に設定することができない、という不都合がある。
【０００９】
特許文献２のものは、蒸気をできるだけ多く発生させるためにお湯を部屋に貯めるものであり、この部屋に貯めたお湯を抽出ロート（濾過器）にどのように滴下させるかについては何の説明もない。この特許文献２の図面にはこの部屋の皿状の下面のほぼ全面に同じ孔径の滴下孔を均一に分布させたものが示されている。このためこの特許文献２は、抽出ロートにお湯を平均に分散させて落下させるように多数の滴下孔を部屋の下面に設けることを前提とし、蒸気を多く発生させるために下面を皿状に陥没させてお湯を貯めるようにしたものと考えられる。
【００１０】
従って抽出ロートの中央と周辺とに予め設定した時間差をもって滴下したり、滴下位置ごとの滴下量を予め管理することもできないものであった。
【００１１】
この発明はこのような事情に鑑みなされたものであり、飲料抽出用ロートに対するお湯の滴下位置や滴下時期（タイミング）あるいは滴下量を変化させることにより、風味に富むおいしい飲料を抽出できるようにした飲料作成器を提供することを目的とする。
【課題を解決するための手段】
【００１２】
この発明によればこの目的は、本体の上壁部に設けたお湯注出口から流出するお湯を飲料抽出ロートに注ぎ、この飲料抽出ロートで抽出された抽出液を飲料抽出ロートの下方に設けた容器に集める飲料作成器において、前記飲料抽出ロートの上方にあってこの飲料抽出ロートに対して固定され前記お湯注出口から出るお湯を一時貯めながら、前記飲料抽出ロートに導くスキャッタを備え、前記スキャッタの底面は深さが異なる領域を持ち、これらの各領域にそれぞれお湯の滴下孔が形成されている一方、前記お湯注出口はこのスキャッタの最も深い領域にお湯を注ぐことを特徴とする飲料作成器、により達成される。
【発明の効果】
【００１３】
スキャッタをお湯を一時貯めるように例えば略カップ状とし、このスキャッタの底面に深さが異なる領域を形成し、各領域にそれぞれお湯の滴下孔を形成したものであるから、最初は最も深い位置の滴下孔からお湯がロートに落ち、時間経過に伴って順次高い位置の滴下孔からお湯がロートに落ちる。このため滴下孔の高さや位置（回転中心からの距離）、あるいは滴下孔の孔径などを適切に設定することにより、飲料抽出ロートに対するお湯の滴下条件を変えることができ、風味に富むおいしい飲料の抽出が可能になる。
【発明を実施するための最良の形態】
【００１４】
お湯注出口から少なくともスキャッタの最も深い領域にお湯を注ぎ込むようにすれば、スキャッタに最初に入るお湯は最初にロートにお湯を滴下する最も深い滴下孔に近い位置に直接入るので、お湯が底面の他の浅い領域に当たって冷やされることもない(請求項２)。このため抽出液の味を向上させることができる。
【００１５】
滴下孔はスキャッタの底面から下方に向かって開口するものが望ましいが、外側あるいは内側に傾けておいてもよい。最も深い滴下孔の単位時間当たりの滴下量（以下単に滴下量ともいう）は、お湯注出口からスキャッタに単位時間当たり注入するお湯の量（注入量）よりも少なくする状態を持つのがよい（請求項３）。このようにして抽出中にスキャッタのお湯の湯面を上昇させるものである。なお湯面がスキャッタの上縁から溢れるのを防ぐために、全ての滴下孔による滴下量を合計した滴下量（合計滴下量）は注入量よりも多くしておくべきである。
【００１６】
スキャッタの底面に階段状に高さが異なる複数の段部を形成し、各段部にそれぞれ複数の滴下孔を形成することができる（請求項４）。各段部は環状としこれらを同心に配列することができる（請求項５）。この場合環状の段部は中央が最も深く順次周辺に向かって浅くなるようにしてもよい（請求項１０，１１）。環状の段部は一周に亘って一定深さであってもよいが一周の一部で深さが変化してもよい。例えば半周ごとに深さが変化してもよい。
【００１７】
スキャッタの底面は略半球状としてもよく、この場合半球の中央を最も深くしてもよいし、逆に中央を最も高く（浅く）してもよい。この底面に対しては異なる高さで囲んだ異なる円に沿って滴下孔を配列してもよいし、底面に巻き付けた螺旋に沿って滴下孔を配列してもよい（請求項６）。
【００１８】
スキャッタの底面は円錐面で形成することもできる。この場合滴下孔は円錐面を異なる高さで囲む円に沿って形成したり、円錐面に巻いた螺旋に沿って形成するのがよい（請求項７，８）。また円錐面は中央の先端（頂点）が最も深くなるようにしてもよいし、反対に最も高く（浅く）なるようにしてもよい（請求項１０，１１）。
【００１９】
スキャッタの底面に深さが連続的に変化する螺旋状の段部を形成してもよく、この場合は螺旋状段部に沿って滴下孔を形成するのが望ましい（請求項９）。また異なる領域の間に底面から立ち上がる壁を設け、この壁を挟んで一方の領域から他方の領域にこの壁を越えてお湯が流れるようにすることも可能である(請求項１２)。この場合、壁の高さと底の高さとによってお湯が入る領域の時間変化を調整でき、設計自由度が向上する。
【実施例１】
【００２０】
図１は本発明の一実施例であるコーヒーメーカーの側断面図、図２はスキャッタの側断面図（Ａ）と平面図（Ｂ）である。図１において、符号１０は本体であり、底部１２と、仕切壁１４と、上壁部１６とを垂直な起立部１８で結合したものである。
【００２１】
本体１０の底部１２の中には、電気ヒータ２０が組込まれている。電気ヒータ２０は後記水タンク３０から水ホース２２を介して導かれる水を加熱し高温の（沸騰した）お湯として起立部１８内を通る湯パイプ２４によって上壁部１６に送る。このお湯（熱湯）は上壁部１６の下面に下向きに開口するお湯注出口２６に導かれる。
【００２２】
なおヒータ２０は金属パイプに発熱体を巻き付けて略Ｕ字状に折曲したもので、その上面には円形の金属板が組付けられている。この金属板は底部１２に設けた円形の開口部に下方から嵌め込まれている。この開口部に臨む金属板にはジャグ２８が載せられ、このジャグ２８を保温する。
【００２３】
次に水タンク３０を説明する。水タンク３０は本体１０の起立部１８の外側面に装填される。すなわち、起立部１８は平面視で略半円形であり、水タンク３０は平断面が円柱の一部を縦割りにして円弧状の外側面が起立部１８の外側面にほぼ滑らかに沿う形状となっている。
【００２４】
この水タンク３０は、起立部１８に設けた外側面に開く水タンク装填室３２に装填される。この水タンク装填室３２の底には平面視略台形の凹部３２Ａが形成される一方、水タンク３０の底にはこの凹部３２Ａに上方からほぼ垂直に係入可能な凸部３０Ａが形成されている。また水タンク３０の上面には内側（水タンク装填室３２の奥側）に段部３０Ｂが形成される一方、水タンク３０の上面の外側は水タンク装填室３２の外側に膨出している。
【００２５】
水タンク装填室３２には、この水タンク３０側の段部３０Ｂの上方に一定寸法すなわち前記凹部３２Ａの深さより僅かに大きい寸法離れて対向する段部３２Ｂが形成されている。このため水タンク３０は図１の装填状態から上方へ引き上げると段部３０Ｂが装填室３２の段部３２Ｂに下方から当接してその上方移動が制限される。この状態で水タンク３０の上部を外側へ傾けるようにして段部３０Ｂを段部３２Ｂから解放すれば、底の凸部３０Ａを凹部３２Ａから脱出させつつ、水タンク３０を斜上方へ引き上げることができる。なお水タンク３０の平面視円弧状の外側面には、取手３０Ｃが設けられている。
【００２６】
水タンク３０の底の凸部３０Ａには、出水弁３４が設けられている。この出水弁３４はコイルばねにより常には下方へ移動して出水路を閉じる一方、水タンク３０を水タンク装填室３２に装填した状態では、凹部３２Ａに設けた突起３２Ｃによって押し上げられ、出水路を開く。なお凸部３０Ａと凹部３２Ａとの対向面間は気密にシールされているため、水タンク３０の水は凹部３２Ａ内を満たす量だけ流出し、凹部３２Ａの外へ流出することはない。
【００２７】
この凸部３０Ａと凹部３２Ａとで囲まれた小さい空隙の底には前記水ホース２２がチェック弁３６を介して接続されている。このため水タンク３０の水が出水弁３４、チェック弁３６、水パイプ２２を介してヒータ２０に導かれ、ヒータ２０で加熱されて沸騰すると湯パイプ２４を介してお湯注出口２６から流出する。この時チェック弁３６があるため熱湯は水タンク３０に逆流することはない。ヒータ２０内の水位が下がると水タンク３０から水が供給され、以上の動作を継続する。
【００２８】
３８はホットコーヒー抽出用ロートである。このロート３８は仕切壁１４の開口１４Ａに位置決めして仕切壁１４に載置可能である。すなわち開口１４Ａの内周面に、ロート３８側に設けた係合突起３８Ａを係合させて仕切壁１４に載せるものである。このロート３８には紙フィルタ、コーヒー粉を予めセットしておく。
【００２９】
４０はスキャッタである。このスキャッタ４０はロート３８の上に載せられ、お湯注出口２６から連続して出るお湯を一時貯めてから、ロート３８に導く。すなわちロート３８に対して最適にお湯を分散させ、かつ滴下位置に対して最適な時間差と滴下量となるようにしてお湯を滴下するものである。スキャッタ４０は、図２に示すように略カップ状であり、上方に開いた円筒４２の中に底板４４を設け、円筒４２の下端をロート３８の上縁に載せ位置決めするものである。
【００３０】
このスキャッタ４０の底板４４により形成される底面には、深さが異なる領域すなわち階段状に高さが変化する段部４６（４６Ａ〜４６Ｃ）が同心（同軸）に形成されている。すなわち中央の最も深い円形の段部４６Ａと、これを囲んで順番に高くなる環状の段部４６Ｂ、４６Ｃが形成されている。最も深い段部４６Ａと、その外側の環状の段部４６Ｂ、４６Ｃにはそれぞれ複数の滴下孔４８（４８Ａ、４８Ｂ、４８Ｃ）が形成されている。前記お湯注出口２６はこのスキャッタ４０の中央付近の上方に臨んで開口し、お湯を中央の段部４６Ａに注ぐ。
【００３１】
なおお湯注出口２６からロート３８に流入するお湯の量（単位時間当たりの量、滴下量ともいう）は滴下孔４８Ａからの滴下量より多くなるように設定され、抽出初期には深い段部４６Ａの液面（湯面）が上昇する。お湯の液面が上昇し段部４６Ｂ、４６Ｃに広がると、滴下孔４８Ｂ、４８Ｃからもお湯の滴下が始まる。
【００３２】
滴下孔４８Ｂ、４８Ｃの半径位置は滴下孔４８Ａの半径位置より大きいので、滴下孔４８Ｂ、４８Ｃから滴下するお湯はロート３８の中心から離れた円上に滴下されることになる。このためロート３８内のコーヒー粉に対してお湯を適切に拡散して滴下できる。このように始めはロート３８の中心付近に多くお湯を注ぎ、コーヒー粉が適度に蒸された後で外周寄りにもお湯が注がれて最適な抽出状態を創出することができ、香りが高く味の良いホットコーヒーを抽出できる。
【００３３】
次に制御部５０を説明する。この制御部５０は入力手段５２により設定される抽出する人数分（何杯分）に基づいて、ヒータ２０を制御する。例えばスイッチ５２Ａのオン回数によって何杯分か（抽出量）を判別する。制御部５０は抽出量に応じてヒータ２０の加熱時間を変更することにより、お湯の注入量を制御する。例えば１人分に対してはＴ0時間加熱する時は、２人分なら２Ｔ0、３人分なら３Ｔ0を加熱時間とする。
【００３４】
この実施例によれば、最初は最も深い段部４６Ａの滴下孔４８Ａのみからお湯がロート３８の中央付近に落ちてコーヒー粉を蒸らし、その後スキャッタ４０の湯面上昇に伴って他の段部４６Ｂ、４６Ｃの滴下孔４８Ｂ、４８Ｃからもお湯が落ちるようになり、滴下位置が周辺寄りに拡大していく。また抽出終了に近くなるとお湯注出口２６からのお湯の注入量が減りやがて停止するが、この時にはスキャッタ４０の湯面の低下に伴って周辺寄りの滴下孔４８Ｃ、４８Ｂからの滴下が順次止まり、中央の段部４６Ａの滴下孔４８Ａからの滴下が最後になって抽出を終わる。
【００３５】
すなわちロート３８に対して中央付近には最初から最後までお湯が滴下される一方、時間遅れをもって周辺寄りにお湯の滴下位置が拡大する。また抽出終了付近になると逆に周辺寄りから滴下が止まり、中央付近の滴下だけに戻る。このようなお湯の滴下の仕方は、飲料の種類や使用者の好みに応じて最適に決めればよく、そのためには各段４６Ａ〜４６Ｃの高さと半径、滴下孔４８Ａ〜４８Ｃの数および孔径を最適に設定すればよい。また各段４６Ａ〜４６Ｃに設ける滴下孔４８Ａ〜４８Ｃはできるだけ小径として数を多くしておけば、ロート３８にお湯を広く分散させて供給するのに都合がよい。
【００３６】
この実施例のスキャッタ４０は、３段階に高さが変化するものであるが、２段あるいは４段階以上に高さを変化させるものであってもよい。また中央が深くなっているが、逆に周辺が最も深くなるようにしてもよい。
【実施例２】
【００３７】
図３はスキャッタの他の実施例を示す側断面図（Ａ）と平面図（Ｂ）である。この実施例２のスキャッタ１４０は円筒１４２の内側に固定された底板１４４を持ち、底面には中央に最も深い段部１４６Ａと、ここから周方向に１８０°おきに高くなる半円弧状の段部１４６Ｂ〜１４６Ｅが同心（同軸）に形成されている。このため底面は中央から周辺に向かって階段状に高くなっている。また各段部１４６Ａ〜Ｅには、それぞれ複数の滴下孔１４８Ａ〜Ｅが形成されている。
【００３８】
この実施例によれば前記図１〜２に示した実施例１に比べて深さの変化を細かく設定できるので、ロートに落とすお湯の滴下状況を一層細かく制御することができる。
【実施例３】
【００３９】
図４はスキャッタの他の実施例を示す側断面図（Ａ）と平面図（Ｂ）である。この実施例３は、スキャッタ２４０の底板２４４で形成される底面は、深さが連続的に変化する螺旋状の段部２４６を持つ。多数の滴下孔２４８がこの螺旋状段部２４６に沿って、すなわち段部２４６の幅の中央付近を通る螺旋に沿って設けられている。
【００４０】
この実施例において滴下孔２４８の数を十分に多くして螺旋に沿って隣接する滴下孔２４８の間隔を十分に小さくすれば、スキャッタ２４０の湯面上昇に伴って滴下位置を螺旋に沿って細かく変化させることができる。
【実施例４】
【００４１】
図５はスキャッタの他の実施例を示す側断面図（Ａ）と平面図（Ｂ）である。この実施例４のスキャッタ３４０は、円筒３４２の内側に円錐形の底板３４４を取付けたものである。ここに円錐はその頂点（先端）が中央下方に位置し、ここが最も深くなっている。またこの円錐の頂点付近（最も深い位置）に複数の滴下孔３４８Ａが形成され、円錐を異なる高さで囲む複数の円３４６Ａ〜Ｃに沿って多数の滴下孔３４８Ｂ〜Ｄが形成されている。
【実施例５】
【００４２】
図６はスキャッタの他の実施例を示す側断面図（Ａ）と平面図（Ｂ）である。この実施例５はスキャッタ４４０を円筒４４２と半球面状の底板４４４で形成したものである。ここに底板４４４はその中央が最も深くなっている。またこの半球面状底面の中央と、この半球面を異なる深さで囲む円４６６Ａ〜Ｃに沿って多数の滴下孔４６８Ｂ〜Ｄが形成されている。
【実施例６】
【００４３】
図７はスキャッタの他の実施例を示す側断面図（Ａ）と平面図（Ｂ）である。この実施例６は、スキャッタ５４０を前記図６の実施例５と同様に円筒５４２の内側に保持した底板５４４を半球状とし、その中央を最も深くしたものである。実施例５と異なるのは、滴下孔５４８を底面に巻き付けた螺旋５４６に沿って形成した点である。
【実施例７】
【００４４】
図８はスキャッタの他の実施例を示す側断面図（Ａ）と平面図（Ｂ）である。この実施例７はスキャッタ６４０の周辺に最も深い領域を設け、湯パイプ６２４の湯注出口６２６をこの領域の上方に臨ませたものである。すなわち周辺に最も深い環状の段部６４６Ａを形成し、その内周側に中心に向かって次第に階段状に高くなる環状の段部６４６Ｂおよび円形の中央段部６４６Ｃを形成したものである。そして各段部６４６Ａ〜Ｃにそれぞれ複数の滴下孔６４８Ａ〜Ｃを形成したものである。
【実施例８】
【００４５】
図９はスキャッタの他の実施例を示す側断面図(Ａ)と平面図(Ｂ)である。この実施例８は、スキャッタ７４０の円筒７４２の内側に深さが異なる段部７４６Ａ〜Ｅを有する底板７４４を取付け、各段部７４６Ａ〜Ｄに滴下孔７４８Ａ〜Ｅを設け、さらに異なる段部７４６Ｂと７４６Ｃの境界に底板７４４から立ち上がる壁７４４Ａを立設したものである。この壁７４４Ａは上縁が水平である。
【００４６】
この実施例８によれば、お湯注出口２６からであるお湯は、中央の最も深い領域となる段部７４６Ａに入り、滴下孔７４８Ａからお湯を滴下しつつお湯の液面が上昇していく。湯面が上昇して２段目の段部７４６Ｂに入ると滴下孔７４８Ｂからもお湯が落ちる。湯面がさらに上昇し壁７４４Ａの上縁を越えると、お湯はこの壁７４４Ａを越えて３段目の領域である段部７４６Ｃに入る。このようにして順次高い位置の段部７４６Ａ〜Ｅにお湯が入り、滴下孔７４８Ａ〜Ｅから時間差をもって順次お湯が落ちる。
【００４７】
壁７４４Ａの高さを変えることにより段部７４６Ｂの領域から段部７４６Ｃの領域にお湯が入るタイミングを変えることができ、設計自由度が増えることになる。
【図面の簡単な説明】
【００４８】
【図１】本発明の一実施例であるコーヒーメーカーを示す側断面図
【図２】同じくスキャッタの側断面図（Ａ）と平面図（Ｂ）
【図３】スキャッタの他の実施例を示す側断面図（Ａ）と平面図（Ｂ）
【図４】スキャッタの他の実施例を示す側断面図（Ａ）と平面図（Ｂ）
【図５】スキャッタの他の実施例を示す側断面図（Ａ）と平面図（Ｂ）
【図６】スキャッタの他の実施例を示す側断面図（Ａ）と平面図（Ｂ）
【図７】スキャッタの他の実施例を示す側断面図（Ａ）と平面図（Ｂ）
【図８】スキャッタの他の実施例を示す側断面図（Ａ）と平面図（Ｂ）
【図９】スキャッタの他の実施例を示す側断面図（Ａ）と平面図（Ｂ）
【符号の説明】
【００４９】
１０  本体
１６  上壁部
２４、６２４  湯パイプ
２６、６２６  湯注出口
３８  抽出ロート
４０、１４０、２４０、３４０、４４０、５４０、６４０、７４０  スキャッタ
４４、１４４、２４４、３４４、４４４、５４４、６４４、７４４  底板
４６、１４６、２４６、３４６、４４６、５４６、６４６、７４６  段部(深さが異なる領域)  
４８、１４８、２４８、３４８、４４８、５４８、６４８、７４８  滴下孔
【図１】
2007313004.tif 000003
【図２】
2007313004.tif 000004
【図３】
2007313004.tif 000005
【図４】
2007313004.tif 000006
【図５】
2007313004.tif 000007
【図６】
2007313004.tif 000008
【図７】
2007313004.tif 000009
【図８】
2007313004.tif 000010
【図９】
2007313004.tif 000011